(57)【要約】      （修正有）【課題】簡易に組み立て分解でき良好な仕上がりの布を製織可能で仕上がりの視認確認も容易な手織機を提供する。【解決手段】手織機は底面が平坦な台１上の一端側に男巻き３間丁４を取付けるとともに、台１上の他端側に胸木５布巻き６を取付け、台１上の間丁４側に綜絖枠体１０と胸木５側に筬体２０を配置して、男巻き３側から繰り出される経糸群を一対の綜絖枠１１、１２により一方の経糸群と他方の経糸群とに分けて交互に上下動させる。両経糸群の間に緯糸６１を通し、筬体２０の胸木５側への打ち込みにより緯糸６１と経糸からなる布を織り上げて布巻き６で巻き取る。筬体２０は側面形状が枠体１０側に突出する略くの字状に形成され台１により回動可能に支持された筬支持片２１及びこの上端部により上部両側を回動可能に支持されて下部側を垂下状態とした筬部２２とを有する。筬部２２を常時垂直状態としつつ胸木５側への緯糸６１の打ち込みを行う。【選択図】図１
2004169191.tif 000002
【特許請求の範囲】
【請求項１】
底面が平坦な台上の一端側にロール状の男巻き、間丁を取付けるとともに、台上の他端側に胸木、ロール状の布巻きを取付け、
台上の中間領域には間丁側に綜絖枠体を、胸木側に筬体を各々配置して、前記男巻き側から繰り出されるたて糸群を綜絖枠体に設けた一対の綜絖枠により一方のたて糸群と、他方のたて糸群とに分けて交互に上下動させ、
両たて糸群の間によこ糸を通し、前記筬体の胸木側への打ち込みによりよこ糸、たて糸からなる布を織り上げて前記布巻きで巻き取る卓上に載置可能な手織機であって、
前記筬体は、側面形状が前記綜絖枠体側に突出する略くの字状に形成され、前記台により回動可能に支持された一対の筬支持片と、この一対の筬支持片の上端部により上部両側を回動可能に支持され、下部側を垂下状態とした筬部とを有し、
前記筬部を、常時、垂直状態又は略垂直状態としつつ前記胸木側へのよこ糸の打ち込みを可能としたことを特徴とする手織機。
【請求項２】
底面が平坦な台上の一端側の端部支柱にロール状の男巻き、間丁を取付けるとともに、台上の他端側の端部支柱に胸木、ロール状の布巻きを取付け、
台上の中間領域には間丁側に綜絖枠体を、胸木側に筬体を各々配置して、前記男巻き側から繰り出されるたて糸群を綜絖枠体に設けた一対の綜絖枠により一方のたて糸群と、他方のたて糸群とに分けて交互に上下動させ、
両たて糸群の間によこ糸を通し、前記筬体の胸木側への打ち込みによりよこ糸、たて糸からなる布を織り上げて前記布巻きで巻き取る卓上に載置可能な手織機であって、
前記筬体は、側面形状が前記綜絖枠体側に突出する略くの字状に形成され、前記台により回動可能に支持された一対の筬支持片と、この一対の筬支持片の上端部により上部両側を回動可能に支持され、下部側を垂下状態とした筬部とを有し、
前記他端側の端部支柱と布巻きとに亙って、よこ糸、たて糸を織り上げた布の巻き取り時の逆転を防止するとともに布巻きの端部支柱に対する着脱を可能とする逆転防止兼着脱機構を備えたことを特徴とする手織機。
【請求項３】
前記筬体の筬部と筬支持片とは、ピン結合により着脱可能であることを特徴とする請求項１又は２記載の手織機。
【請求項４】
前記筬体の筬支持片の下端部には、凹溝を設け、凹溝を前記台のピンに嵌装することで前記筬体を前記台により回動可能、且つ、着脱可能に支持していることを特徴とする請求項１乃至３のいずれかに記載の手織機。
【請求項５】
前記綜絖枠体の下部は、前記台により着脱可能に支持されていることを特徴とする請求項１乃至４のいずれかに記載の手織機。
【請求項６】
前記台の底面には、整経台を構成する整経ピン用の取り付け孔が所定の配置で穿設されれていることを特徴とする請求項１乃至５のいずれかに記載の手織機。
【請求項７】
前記逆転防止兼着脱機構は、前記他端側の端部支柱に回動可能に取り付けた回動爪体と、心棒を有する布巻きの端部に同軸一体に取り付けられ、前記端部支柱に設けた傾斜溝への前記心棒の挿入状態で回動爪体と係合する歯車とを有し、逆転防止位置の回動爪体の爪片により逆転規制され、
順転時には爪片に連なる顎部で抜け止め規制され、回動爪体の反転位置では爪片と反対側の辺部で抜け止め規制され、
回動爪体の倒立位置での歯車との離隔により抜け止め解除状態となるラチェット式機構であることを特徴とする請求項２乃至６のいずれかに記載の手織機。
【発明の詳細な説明】
【発明の属する技術分野】
本発明は、卓上型の手織機に関し、詳しくは、極めて簡易に組み立て、分解でき、しかも、良好な仕上がり状態の布を織り込むことができる卓上型の手織機に関するものである。
【従来の技術】
従来、こたつや座卓の上に置いて作業する卓上型の手織機としては、例えば図１３、図１４に示すものが知られている。
図１３、図１４に示す手織機は、台１０１の間丁１０２側にロール状の男巻き１０３を取付けるとともに、胸木１０４側にロール状の布巻き１１５を取付けて、台１０１の中間の左右に一対の支柱１０６、１０６が例えばネジ止めにより立設されている。
前記支柱１０６、１０６の上部と下部にはレバー１０７、１０７が取付けられていて、このレバー１０７、１０７に２枚の綜絖枠１０８ａ、１０８ｂの上下両端が各々連結され、レバー１０７、１０７の回動操作により２枚の綜絖枠１０８ａ、１０８ｂが交互に垂直方向に上下動するようになっている。
前記綜絖枠１０８ｂと胸木１０４との間の領域には矩形枠状で側面から見た形状が直線状を呈する筬１１２がその下端部を台１０１に例えばネジ止めにより回動可能に取り付けられている。筬１１２の回動範囲は図１３に概略示すように前記綜絖枠１０８ｂと胸木１０４との範囲内の空間部分である。
上述した従来の卓上型の手織機は、一方のたて糸群１２１と他方のたて糸群１２２とを交互に通す綜絖１１０ａ、１１０ｂを囲む綜絖枠１０８ａ、１０８ｂを交互に上下動させる場合、一方の綜絖枠１０８ａを手で持ち上げると、レバー１０７、１０７が回動して他方の綜絖枠１０８ｂが下降し、前記両たて糸群１２１、１２２の間に形成された隙間に、図示しない杼を使用しよこ糸を直交して通した後、他方の綜絖枠１０８ｂを手で持ち上げると、レバー１０７、１０７が回動して一方の綜絖枠１０８ａが下降し、他方の綜絖枠１０８ｂが上昇し、前記両たて糸群１２１、１２２の間に形成された隙間に、再びよこ糸を直交して通し、これを数回繰り返した後、筬１１２を手前側に回動させて、両たて糸群１２１、１２２とよこ糸とを均一にしながら織り込んで布とし、織られた布を胸木１０４を通して布巻き１１５で巻き取るように構成している。
【発明が解決しようとする課題】
しかしながら、上述した従来の手織機の場合、矩形枠状で側面から見た形状が直線状を呈する筬１１２を回動させて両たて糸群１２１、１２２とよこ糸とを均一にしながら織り込み、布とする構成であるため、両たて糸群１２１、１２２の間によこ糸を織り込む際に筬１１２がよこ糸を斜め上方から傾斜状態に打ち込む状態となり、よこ糸を均一に整えつつ織り込むことが難しいという問題があった。
また、従来の手織機の場合、上述したような筬１１２を回動させる構成であり、また他方の綜絖枠１０８ｂと胸木１０４との間隔も狭く、布を織り進むうちに図１４に示すように筬１１２の回動範囲が段々と狭くなるとともに杼の挿通範囲Ａも段々と狭くなり、筬１１２や杼の操作性の低下を招くとともに、織り上げた布の視認範囲も狭く仕上がり状態の確認に不都合が生じていた。
更に、従来の手織機の構成の場合、筬１１２、綜絖枠１０８ａ、１０８ｂは簡略には取り外しできず、手織機全体の収納、運搬対策が不十分であった。
更に、従来の手織機の構成の場合、整経台は全く個別に用意しなければならなかった。
本発明は、上記従来の事情に鑑みて開発されたものであり、極めて簡易に組み立て、分解でき、しかも、良好な仕上がり状態の布を織り込むことができ、仕上がり状態の視認確認も容易であり、収納、運搬対策も万全であり、更に整経台を兼用させることも可能であり、布の巻き取り時の動作を確実に行うことが可能な手織機を提供することを目的とするのである。
【課題を解決するための手段】
上記課題を解決するために、請求項１記載の発明の手織機は、底面が平坦な台上の一端側にロール状の男巻き、間丁を取付けるとともに、台上の他端側に胸木、ロール状の布巻きを取付け、台上の中間領域には間丁側に綜絖枠体を、胸木側に筬体を各々配置して、前記男巻き側から繰り出されるたて糸群を綜絖枠体に設けた一対の綜絖枠により一方のたて糸群と、他方のたて糸群とに分けて交互に上下動させ、両たて糸群の間によこ糸を通し、前記筬体の胸木側への打ち込みによりよこ糸、たて糸からなる布を織り上げて前記布巻きで巻き取る卓上に載置可能な手織機であって、前記筬体は、側面形状が前記綜絖枠体側に突出する略くの字状に形成され、前記台により回動可能に支持された一対の筬支持片と、この一対の筬支持片の上端部により上部両側を回動可能に支持され、下部側を垂下状態とした筬部とを有し、該筬部を常時垂直状態又は略垂直状態としつつ前記胸木側へのよこ糸の打ち込みを可能としたことを特徴とするものである。
請求項２記載の発明の手織機は、底面が平坦な台上の一端側の端部支柱にロール状の男巻き、間丁を取付けるとともに、台上の他端側の端部支柱に胸木、ロール状の布巻きを取付け、台上の中間領域には間丁側に綜絖枠体を、胸木側に筬体を各々配置して、前記男巻き側から繰り出されるたて糸群を綜絖枠体に設けた一対の綜絖枠により一方のたて糸群と、他方のたて糸群とに分けて交互に上下動させ、両たて糸群の間によこ糸を通し、前記筬体の胸木側への打ち込みによりよこ糸、たて糸からなる布を織り上げて前記布巻きで巻き取る卓上に載置可能な手織機であって、前記筬体は、側面形状が前記綜絖枠体側に突出する略くの字状に形成され、前記台により回動可能に支持された一対の筬支持片と、この一対の筬支持片の上端部により上部両側を回動可能に支持され、下部側を垂下状態とした筬部とを有し、前記他端側の端部支柱と布巻きとに亙って、よこ糸、たて糸を織り上げた布の巻き取り時の逆転を防止するとともに布巻きの端部支柱に対する着脱を可能とする逆転防止兼着脱機構を備えたことを特徴とするものである。
請求項３記載の発明の手織機は、請求項１又は２記載の手織機における前記筬体の筬部と筬支持片とは、ピン結合により着脱可能であることを特徴とするものである。
請求項４記載の発明の手織機は、請求項１乃至３のいずれかに記載の手織機における前記筬体の筬支持片の下端部には、凹溝を設け、凹溝を前記台のピンに嵌装することで前記筬体を前記台により回動可能、且つ、着脱可能に支持していることを特徴とするものである。
請求項５記載の発明の手織機は、請求項１乃至４のいずれかに記載の手織機における前記綜絖枠体の下部は、前記台により着脱可能に支持されていることを特徴とするものである。
請求項６記載の発明の手織機は、請求項１記載乃至５のいずれかにの手織機における前記台の底面には、整経台を構成する整経ピン用の取り付け孔が所定の配置で穿設されれていることを特徴とするものである。
請求項７記載の発明の手織機は、請求項２乃至６のいずれかに記載の手織機において、前記逆転防止兼着脱機構は、前記他端側の端部支柱に回動可能に取り付けた回動爪体と、心棒を有する布巻きの端部に同軸一体に取り付けられ、前記端部支柱に設けた傾斜溝への前記心棒の挿入状態で回動爪体と係合する歯車とを有し、逆転防止位置の回動爪体の爪片により逆転規制され、順転時には爪片に連なる顎部で抜け止め規制され、回動爪体の反転位置では爪片と反対側の辺部で抜け止め規制され、回動爪体の倒立位置での歯車との離隔により抜け止め解除状態となるラチェット式機構であることを特徴とするものである。
本発明によれば、前記筬体を、側面形状が前記綜絖枠体側に突出する略くの字状に形成し、台により回動可能に支持された一対の筬支持片の上端部により上部両側を回動可能に支持して、下部側を垂下状態とし、この筬部を常時垂直状態又は略垂直状態としつつ胸木側へのよこ糸の打ち込みを可能としているので、筬部により良好な仕上がり状態の布を織り込むことができ、また仕上がり状態の視認確認も容易となる。更に、前記筬体の筬部と筬支持片、前記筬体と台との着脱も容易で収納、運搬も便利であり、また、手織機裏面側で整経台を兼用させることもできる。
更に、本発明のうち請求項２、７記載の発明よれば、よこ糸、たて糸を織り上げた布の巻き取り時の逆転を防止するとともに布巻きの端部支柱に対する着脱を可能とする逆転防止兼着脱機構を備えているので、布の巻き取り時の布巻きの逆転を確実に防止し、且つ、布巻きの端部支柱に対する取り付け、取り外しも容易な手織機を提供できる。
【発明の実施の形態】
以下、本発明に係る簡易に組み立て分解できる卓上型の手織機の実施の形態について詳細に説明する。
図１は本発明の実施の形態の手織機全体の斜視図を示すものである。
本実施の形態の手織機は、底面が平坦で矩形状に形成した卓上に載置可能な大きさの台１の一端側に一対の端部支柱２を立設し、端部支柱２間にロール状の男巻き３、間丁４を各々水平配置に取付けている。また、台１の他端側にも一対の端部支柱２を立設し、胸木５、ロール状の布巻き６を各々水平配置に取付けている。
前記台１の中間領域には、前記間丁４側に綜絖枠体１０を、胸木５側に筬体２０を各々配置して、前記男巻き３側から繰り出されるたて糸群５０を綜絖枠体１０の一対の支柱１３間に設けた公知の構造からなる一対の綜絖枠１１、１２により一方のたて糸群５０ａと、他方のたて糸群５０ｂとに分けて交互に上下動させ、両たて糸群５０ａ、５０ｂの間に形成される隙間に杼６０を使用してよこ糸６１を通し、前記筬体２０の胸木５側への打ち込みにより、よこ糸６１及び両たて糸群５０ａ、５０ｂからなる布５１を織り上げて前記胸木５の下側の布巻き６により巻き取るように構成している。布巻き６は詳細は後述する逆転防止兼着脱機構８０を備えている。
前記台１には、端部支柱２間に架設した横補強板７、台１の底部を補強する底補強板８が設けられている。
前記筬体２０は、側面形状が前記綜絖枠体１０側に突出する略くの字状（又はブーメラン状）に形成され、前記台１により回動可能に支持された一対の筬支持片２１と、この一対の筬支持片２１の上端部により上部両側を回動可能に支持され、下部側を自重による垂下状態とした矩形状の筬部２２とを有し、該筬部２２を常時自重による垂直状態又は略垂直状態としつつ操作者が前記胸木５側へのよこ糸６１の打ち込みを可能としている。一対の筬支持片２１間には補強板２３が取り付けられている。また、前記間丁４の両端、胸木５の両端は各々ネジ止めにより端部支柱２に取り付けている。
前記筬体２０の筬部２２と筬支持片２１とは、図２に示すように、筬支持片２１の上端部から突出させたピン２４を筬部２２の上部壁面の受穴２５に嵌合することで筬部２２と筬支持片２１とを着脱可能としている。また、筬支持片２１と補強板２３とは、補強板２３の壁面から突出させたピン２３ａを筬支持片２１の壁面に設けた受孔２１ａに嵌合することで取り付けている。
更に、前記筬支持片２１の下端部には、図２に示すように、凹溝２１ｂが設けられ、凹溝２１ｂを前記台１の内壁に設けたピン（図示しない）に嵌装することで前記筬体２０を前記台１により回動可能、且つ、着脱可能に支持している。
このような構成により、筬体２０の台１からの取り外し、筬部２２と筬支持片２１との分離を容易にしている。
前記綜絖枠体１０の下部は、前記台１により着脱可能に支持さている。すなわち、綜絖枠体１０の支柱１３を、図４に示すように、台１の内壁に支柱１３の幅より若干広い間隔で取り付けた一対の支持受板２６の間に嵌入することで、支柱１３を台１に対して着脱可能としている。これにより、綜絖枠体１０を台１から容易に取り外し可能としている。
図３は前記綜絖枠体１０の一対の綜絖枠１１、１２の回動機構を示すものであり、上部回動部材３１と下部回動部材３２により、一対の綜絖枠１１、１２の上部側壁、下部側壁を各々ピン結合により連結し、上部回動部材３１、下部回動部材３２の外面側に各々突出させたピン３１ａ、３２ａを前記支柱１３に設けた受孔に嵌入れ、ピン３１ａ、３２ａを支軸とし上部回動部材３１、下部回動部材３２を介して一対の綜絖枠１１、１２を交互に上下動可能に構成している。
前記台１の底面（裏面、すなわち図１に示す手織機をひっくり返した状態）には、図５に示すように、公知の構成と同等の整経台を構成する整経ピン４１用の取り付け孔４０が所定の配置で穿設され、台１を上下反転、すなわち、手織機自体を上下反転させて取り付け孔４０に整経ピン４１を差し込むことで、図６に示すように、例えば机７０上において手織機の底面側を整経台として機能させることができるようになっている。
図７は前記筬体２０の筬部２２の胸木５側への打ち込みにより、よこ糸６１及び両たて糸群５０ａ、５０ｂからなる布５１を織り上げ場合の筬支持片２１、筬部２２の回動軌跡を示すものである。
本実施の形態においては、既述したように一対の筬支持片２１はその側面形状が前記綜絖枠体１０側に突出する略くの字状（又はブーメラン状）に形成されていて、且つ、一対の筬支持片２１の上端部により筬部２２上部両側を回動可能に支持し垂下状態としているので、図７に示すように、前記筬部２２を、常時、自重による垂直状態（又は略垂直状態）としつつ前記胸木５側へのよこ糸６１の打ち込みを水平方向からスウィングするように行うことが可能となる。
この結果、筬部２２を、常に垂直を保ちながら、前記胸木５側のたて糸５０ａ群、たて糸群５０ｂへのよこ糸６１の打ち込みを水平方向からスウィングするように行うことが可能となり、これにより、前記よこ糸６１を均一、円滑に整えつつ両たて糸群５０ａ、５０ｂの間に織り込むことができ、良好な仕上がりの布５１を織り上げることができる。また、筬部２２を回動可能に支持する一対の筬支持片２１が略くの字状（又はブーメラン状）に形成されているので、織り操作時に、よこ糸６１を通した杼６０の動きの空間が広くなったとともに、筬部２２を軽い状態でスムーズに動かすことができ、思い通りのコントロールを片手でも行なうことができる。
なお、前記筬部２２を筬支持片２１から垂下させる場合の他、取り付け角度を設定（１５度傾斜等）して取り付けることもできる。
また、一対の筬支持片２１を綜絖枠１１、１２側に回動させた状態では、前記筬部２２も綜絖枠体１０の近辺にまで至るので、胸木５との間を大きく解放された状態とすることができ、これにより、布５１の織り上げ状態の視認確認を従来例の場合より広範囲に行うことができる。
更に、本実施の形態の手織機では、前記筬部２２、綜絖枠体１０をワンタッチ状態で取り替え可能に構成しているので、織物の模様の種類等に応じ、各種の綜絖枠体１０、たて糸群５０ａ、５０ｂを簡易に取り替えできる。
次に、本実施の形態の逆転防止兼着脱機構８０について図８乃至図１２を参照して説明する。
逆転防止兼着脱機構８０は、図８、図９に示すように、前記他端側の端部支柱２に軸８２を用いて回動可能に取り付けた例えば金属製の回動爪体８１と、心棒６ａを有する布巻き６の端部に同軸一体に取り付けられた歯車９０とのラチェット式機構により構成している。
歯車９０は、前記端部支柱２に設けた前記綜絖枠体１０側から前記端部支柱２の外方側に向かって降下する形状の傾斜溝９２への前記心棒６ａの挿入状態で回動爪体８１の爪片８１ａと係合し、これにより布巻き６の巻き取り動作時の逆転防止が図られている。この状態では、爪片８１ａに連なる先端顎部８１ｂ’が歯車９０の外周に接するようになっている。
前記歯車９０は、図８、図９に示す逆転防止位置の回動爪体８１の爪片８１ａとの係合により逆転規制され、また、布巻き６の順転（図８、図９の矢印方向）時には、図１０に示すように、前記歯車９０の順転が確保されるとともに、前記爪片８１ａに連なる顎部８１ｂの存在で歯車９０の抜け止めが規制される。
更に、回動爪体８１の図１１に示す反転位置では爪片８１ａと反対側の円弧状（歯車９０の歯先円と略同一の円弧状）の辺部８１ｃとの当接により抜け止め規制されるようになっている。この場合、歯車９０自体の回転は自由である。
更に、前記回動爪体８１の図１２に示す倒立位置においては、歯車９０の外周から回動爪体８１の端辺部８１ｄが離隔し、これにより、歯車９０、従って前記布巻き６は抜け止め解除状態となり、前記布巻き６を前記傾斜溝９２に沿って斜め上方へ取り外す（布巻き６の取り外し）ことが可能となるとともに、布巻き６と一体の歯車９０の傾斜溝９２に沿っての挿入（布巻き６の取り付け）が可能となる。この場合、回動爪体８１の端辺部８１ｄとは反対側の先端端辺部８１ｅは倒立位置において前記胸木５に接触しない寸法でかつ弧状に形成されている。
なお、前記回動爪体８１の各角部は面取り（角落とし）がなされている。また、図９に示すＬは、歯車９０が前記傾斜溝９２の方向に変位する場合の最上部の通過線を示すものである。
本実施の形態の手織機は、固定状態に組み立てるべき各部は各々ネジ止めにより組み立てる構成であるので、この手織機全体をドライバー１本で簡単に分解又は組み立てたり、小さく収納し、携帯、持ち運び、収納ができる。
【発明の効果】
以上詳述した本発明によれば、極めて簡易に組み立て、分解でき、しかも、良好な仕上がり状態の布を織り込むことができ、仕上がり状態の視認確認も容易であり、収納、運搬対策も万全であり、更に整経台を兼用させることも可能なに手織機を提供できる。
また、本発明によれば、布の巻き取り時の布巻きの逆転を確実に防止し、且つ、布巻きの端部支柱に対する取り付け、取り外しも容易な手織機を提供できる。
【図面の簡単な説明】
【図１】本発明の実施の形態の手織機全体を示す斜視図である。
【図２】本実施の形態の筬体の筬部、筬支持片の取り付け説明図である。
【図３】本実施の形態の綜絖枠体の綜絖枠の回動状態を示す斜視図である。
【図４】本実施の形態の綜絖枠体の台への取り付け状態の部分斜視図である。
【図５】本実施の形態の手織機を上下反転させた状態の斜視図である。
【図６】本実施の形態の手織機を上下反転させた机上に置いた状態の概略図である。
【図７】本実施の形態の筬支持片、筬部の回動軌跡を示す説明図である。
【図８】本実施の形態の逆転防止兼着脱機構の部分の部分斜視図である。
【図９】本実施の形態の逆転防止兼着脱機構における回動爪体の逆転防止位置の状態を示す部分拡大図である。
【図１０】本実施の形態の逆転防止兼着脱機構における歯車の順転の状態を示す部分拡大図である。
【図１１】本実施の形態の逆転防止兼着脱機構における回動爪体の反転位置の状態を示す部分拡大図である。
【図１２】本実施の形態の逆転防止兼着脱機構における回動爪体の倒立位置の状態を示す部分拡大図てある。
【図１３】従来の手織機の斜視図である。
【図１４】従来の手織機の概略側面図である。
【符号の説明】
１    台
２    端部支柱
３    男巻き
４    間丁
５    胸木
６    布巻き
７    横補強板
８    底補強板
１０    綜絖枠体
１１    綜絖枠
１２    綜絖枠
１３    支柱
２０    筬体
２１    筬支持片
２１ａ  受孔
２１ｂ  凹溝
２２    筬部
２３    補強板
２３ａ  ピン
２４    ピン
２５    受穴
２６    支持受板
３１    上部回動部材
３１ａ  ピン
３２ａ  ピン
３２    下部回動部材
４０    孔
４１    整経ピン
５０    たて糸群
５０ａ  たて糸群
５０ｂ  たて糸群
５１    布
６０    杼
６１    よこ糸
７０    机
８０    逆転防止兼着脱機構
８２    軸
８１    回動爪体
８１ａ  爪片
８１ｂ  顎部
８１ｂ’先端顎部
８１ｃ  辺部
８１ｄ  端辺部
９０    歯車
【図１】
2004169191.tif 000003
【図２】
2004169191.tif 000004
【図３】
2004169191.tif 000005
【図４】
2004169191.tif 000006
【図５】
2004169191.tif 000007
【図６】
2004169191.tif 000008
【図７】
2004169191.tif 000009
【図８】
2004169191.tif 000010
【図９】
2004169191.tif 000011
【図１０】
2004169191.tif 000012
【図１１】
2004169191.tif 000013
【図１２】
2004169191.tif 000014
【図１３】
2004169191.tif 000015
【図１４】
2004169191.tif 000016